(57)【要約】【課題】  送風ファンを駆動するファンモータの振動を抑え、ファンモータの背面に電装基板を対向させないことで電装部の左右幅寸法を抑え、且つ電装品がノイズの影響を受けないようにするとともにメンテナンス性を向上させるようにした空気調和機を提供する。【解決手段】  送風ファンの側部にファンモータ８および電装基板12を備えた電装部15を設けてなる空気調和機において、前記ファンモータ８が、同ファンモータ８の駆動軸8aのラジアル方向から前記電装部15に固定されるように構成した。【選択図】  図５
2007127344.tif 000002
【特許請求の範囲】
【請求項１】
吸込口と吹出口とを結ぶ空気通路に送風ファンを設け、同送風ファンの側部にファンモータおよび電装基板を備えた電装部を設けてなる空気調和機において、
前記ファンモータが、同ファンモータの駆動軸のラジアル方向から前記電装部に固定されてなることを特徴とする空気調和機。
【請求項２】
前記電装部が、分割された電装箱とこれに対向する電装蓋とからなり、前記ファンモータの少なくとも一側が前記電装箱で固定されてなることを特徴とする請求項１に記載の空気調和機。
【請求項３】
前記電装基板が前記ファンモータと対向しない位置に設けられてなることを特徴とする請求項１に記載の空気調和機。
【請求項４】
前記電装箱に端子盤が取り付けられてなることを特徴とする請求項２に記載の空気調和機。
【請求項５】
前記電装箱に表示器ケースが取り付けられ、これら電装箱と表示器ケースとで前記端子盤に接続される電源ケーブルの通路を形成してなることを特徴とする請求項２または請求項４に記載の空気調和機。
【発明の詳細な説明】
【技術分野】
【０００１】
本発明は、空気調和機に係わり、より詳細には、送風ファンを駆動するファンモータの振動を抑えるとともに、電装部のメンテナンス性を向上させるようにした構造に関する。
【背景技術】
【０００２】
従来の空気調和機には、電装部がユニット化されてなる電装品モジュールを備え、組立の作業性を向上させたものとして、電装部を、ファンモータおよび駆動モータを夫々取り付ける第一取付部および第二取付部を備えた電装箱と、同電装箱に前後にスライドして着脱可能に被着され、前記ファンモータの背面にこれと平行な第一基板を、前記駆動モータの近傍に第二基板を夫々備えた電装蓋とで構成され左右に分割された電装品モジュールとしてユニット化してなるものが開示されていた（例えば、特許文献１参照。）。
【０００３】
しかしながら、上述した構成でなる空気調和機においては、送風ファンを駆動する前記ファンモータを、同ファンモータの駆動軸と同一方向（スラスト方向）に固定しているため駆動時の振動を抑えることが困難であった。
すなわち、スラスト方向に固定する場合は強く押し付ける必要があるため、防振部材による防振効果が低減してしまうおそれがあることから、例えばラジアル方向に押し付ける構成にすることで、防振部材の厚さを充分にとれるようにすることが望まれていた。
【０００４】
また、前記ファンモータの背面にこれと平行な第一基板が対向するように設けられた構成であることから、ユニット化された前記電装品モジュールの左右幅寸法が大きくなってしまったり、また、電装品がノイズの影響を受けてしまうおそれがあるという問題点を有していた。
【０００５】
更に、左右風向板およびディフューザを駆動する前記駆動モータが、前記電装箱の外部に設けられていることから、製造ラインでの組立作業時に配線作業が必要になって作業性が良好とはいえず、また、前記電装蓋に電装基板や端子盤を配置していることから、前記電装品モジュール内での配線作業やメンテナンスが複雑になって、配線と前記電装基板との接続をすべて外さないと電装蓋を取り外せないという問題点を有していた。
【０００６】
【特許文献１】特開平２００２−２７６９９１号公報
【発明の開示】
【発明が解決しようとする課題】
【０００７】
そこで、本発明は上述した課題を解決するためになされたものであって、その目的は、送風ファンを駆動するファンモータの振動を抑え、ファンモータの背面に電装基板を対向させないことで電装部の左右幅寸法を抑え、且つ電装品がノイズの影響を受けないようにするとともにメンテナンス性を向上させるようにした空気調和機を提供することにある。
【課題を解決するための手段】
【０００８】
上述した目的を達成するため、本発明は以下に示す特徴を備えている。
吸込口と吹出口とを結ぶ空気通路に送風ファンを設け、同送風ファンの側部にファンモータおよび電装基板を備えた電装部を設けてなる空気調和機において、
前記ファンモータが、同ファンモータの駆動軸のラジアル方向から前記電装部に固定されてなることを特徴としている。
【０００９】
また、前記電装部が、分割された電装箱とこれに対向する電装蓋とからなり、前記ファンモータの少なくとも一側が前記電装箱で固定されてなることを特徴としている。
【００１０】
また、前記電装基板が前記ファンモータと対向しない位置に設けられてなることを特徴としている。
【００１１】
また、前記電装箱に端子盤が取り付けられてなることを特徴としている。
【００１２】
更に、前記電装箱に表示器ケースが取り付けられ、これら電装箱と表示器ケースとで前記端子盤に接続される電源ケーブルの通路を形成してなることを特徴としている。
【発明の効果】
【００１３】
本発明によれば、送風ファン用のファンモータが電装箱に取り付けられる取付部を、モータクランパによりファンモータの駆動軸のラジアル方向に押圧し固定するように構成したことで送風ファンを駆動するファンモータの振動を抑えるようにした空気調和機を提供できる。
【００１４】
また、電装基板が、少なくとも前記ファンモータと対向しない位置に設けられたことにより、メンテナンス性を向上させるとともに、電装部の左右幅寸法を抑えて電装品がノイズの影響を受けるおそれがないようにした空気調和機になる。
【発明を実施するための最良の形態】
【００１５】
次に、本発明の実施形態について図面を参照しながら説明する。
図１は本発明による空気調和機の断面図であり、図２は本発明による空気調和機の説明図で、（Ａ）は吸込グリルを開いた状態を示す斜視図、（Ｂ）は前面パネルを取り外した状態を示す斜視図であり、図３は電装箱の斜視図であり、図４は電装箱とファンモータを示す分解斜視図であり、図５は電装箱および電装蓋からなる電装部と、電装基盤、端子部および表示器ケースとを示す分解斜視図であり、図６は電装箱を別角度から見た斜視図であり、図７は電装箱と風向板用の駆動モータを示す分解斜視図であり、図８はファンモータの駆動軸の側から見た電装箱の斜視図である。
【００１６】
本発明による空気調和機は、図に示すように、吸込口１と吹出口２とを結ぶ空気通路に熱交換器６と送風ファン７とを設け、前記吹出口２には、支軸部3aにより回動自在に軸支された左右風向板３と、支軸部4aにより回動自在に軸支された上下風向板４と、支軸部5aにより回動自在に軸支されたディフューザ５とが設けられている。
【００１７】
前記熱交換器６および前記送風ファン７の側部には、同送風ファン７を駆動するファンモータ８と、前記左右風向板３および前記ディフューザ５を夫々駆動する駆動モータ９と、上部電装箱10a と下部電装箱10b に分割された電装箱10およびこれに対向する電装蓋11からなり、電装基板12、端子盤13および運転情報表示用の表示窓14a を有する表示器ケース14を備えた電装部15とが設けられた構成になっている。
【００１８】
また、前記熱交換器６および前記送風ファン７は前記空気通路を構成するケーシングＡに取り付けられ、また、同ケーシングＡの一側には前記電装部15が取り付けられるようになっている。すなわち、図２（Ｂ）に示す前記ケーシングＡの一側に、図８に示す前後の取付部Ｂにより前記電装箱10が取り付けられて、同電装箱10に図５に示す電装蓋11が接合されるようにした構成になっている。
【００１９】
なお、前記前後の取付部Ｂは、前方の取付部Ｂが後方の取付部Ｂよりも低くなるように配置された構成になっており、これによって、空気調和機を壁面に設置した状態であっても前記電装箱10の取り外しが容易になる。
【００２０】
上記構成により、前記吸込口１から吸い込まれた空気が前記熱交換器６により熱交換されたのち、前記送風ファン７により前記吹出口２に送出されるようになっており、同吹出口２に設けられ、前記駆動モータ９により前記支軸部3aを中心に往復的に回動する前記左右風向板３によって左右方向の風向が偏向され、前記支軸部4aを中心に往復的に回動する前記上下風向板４によって上下方向の風向が偏向されるようになっている。
【００２１】
また、前記駆動モータ９により前記支軸部5aを中心に往復的に回動する前記ディフューザ５によって上下方向の風向が偏向されるようになっている。
【実施例１】
【００２２】
ここで、実施例１として示す図３乃至図８に基づいて、前記ファンモータ８および前記駆動モータ９の取付構造について、また、前記電装基板12、前記端子盤13および前記表示器ケース14を夫々取り付ける構成について以下に詳細に説明する。
【００２３】
前記ファンモータ８の一側が、同ファンモータ８の外形下部が図４に示す凹状の収容部16に防振部材を介して収容されて前記上下の電装箱10で固定されるとともに、他側がモータクランパ17によって防振部材を備えた前記ファンモータ８の段部8bを押し付けながら前記電装箱10に固定されるようになっている。
【００２４】
その際、前記モータクランパ17は、図８に示すように、前記ファンモータ８の駆動軸8aに対しラジアル方向に締め付ける固定ねじ21によってねじ締め固定されるように構成されており、これによって、例えば前記ファンモータ８の駆動軸8aと平行方向にねじ締め固定される場合に較べて、防振部材の厚さを充分にとって前記ファンモータ８の振動をより効果的に抑えることができるようになる。
【００２５】
また、前記駆動モータ９は、図４乃至図７に示すように、同駆動モータ９が前記電装箱10に設けられた取付部23に固定ねじ21によってねじ締め固定されるように構成されており、これによって、前記電装箱10の外部にねじ締め固定される場合と違って、製造用のメインラインでの組立作業時の配線作業を行いやすくした構成になる。
【００２６】
また、前記電装基板12は、図３乃至図８に示すように、同電装基板12の上下端部が前記電装箱10に設けられた上下に対をなす基板保持部20によって着脱可能に保持されるようになっている。
【００２７】
前記基板保持部20は、前記電装基板12が前記ファンモータ８の上部に垂直な状態で設けられることにより、同ファンモータ８および前記駆動モータ９の背面に対向しない位置に設けられるように形成されており、これによって、前記電装部15の左右幅寸法を抑えることができて、空気調和機としての左右幅寸法を小型化することに寄与できるようになり、また、前記電装基板12に設けられた電装品は前記ファンモータ８からノイズの影響を受けるおそれがなくなる。
【００２８】
なお、前記電装基板12が前記電装箱10に設けられたことにより、配線作業がやりやすくなるとともに、接続された配線を前記電装基板12から外さなくても前記電装蓋11を取り外せるようになってメンテナンス性が向上することになる。
【００２９】
また、前記端子盤13が、図５に示す矢印のように前記電装箱10に取り付けられるように構成されており、同電装箱10に設けられた導入口22から図示しない電源ケーブルが導入され、前記端子盤13に接続されるようになっている。
【００３０】
前記端子盤13が前記電装箱10に取り付けられたことにより、例えば、前記端子盤13が前記電装蓋12に設けられているような場合に較べて、配線が複雑にならないようにコンパクトに纏めることができるようになる。
【００３１】
また、前記導入口22から導入されて前記端子盤13に接続される図示しない電源ケーブル用の通路が、前記電装箱10と前記表示器ケース14に一体成形された壁面18とで形成されるようになっており、これによって、前記電源ケーブル用の通路にするための部材を個別に製作して設けるといった必要がなくなる。
【００３２】
また、前記上下の電装箱10および前記モータクランパ17による固定位置は、前記ファンモータ９の重心位置近傍を固定するように構成されており、これによって、前記ファンモータ９の取付バランスが良好になり、強固に固定することができて駆動時の振動を効果的に抑えることができるようになる。
【００３３】
更に、前記モータクランパ17にワイヤクランパ19を一体的に形成された構成になっており、これによって、例えば前記ファンモータ８の配線（図示せず）をクランプするのに別部材からなるワイヤクランパを用いる必要がなくなる。
【図面の簡単な説明】
【００３４】
【図１】本発明による空気調和機の断面図である。
【図２】本発明による空気調和機の説明図で、（Ａ）は吸込グリルを開いた状態を示す斜視図であり、（Ｂ）は前面パネルを取り外した状態を示す斜視図である。
【図３】本発明による空気調和機の電装箱の斜視図である。
【図４】本発明による空気調和機の電装箱とファンモータを示す分解斜視図である。
【図５】本発明による空気調和機の電装箱および電装蓋からなる電装部と、電装基盤、端子部および表示器ケースとを示す分解斜視図である。
【図６】本発明による空気調和機の電装箱を別角度から見た斜視図である。
【図７】本発明による空気調和機の電装箱と風向板用の駆動モータを示す分解斜視図である。
【図８】本発明による空気調和機のファンモータの駆動軸の側から見た電装箱の斜視図である。
【符号の説明】
【００３５】
１  吸込口
２  吹出口
３  左右風向板
3a  支軸部
４  上下風向板
4a  支軸部
５  ディフューザ
5a  支軸部
６  熱交換器
７  送風ファン
８  ファンモータ
8a  駆動軸
8b  段部
９  駆動モータ
10  電装箱
10a 上部電装箱
10b 下部電装箱
11  電装蓋
12  電装基板
13  端子盤
14  表示器ケース
14a 表示窓
15  電装部
16  収容部
17  モータクランパ
18  壁面
19  ワイヤクランパ
20  基板保持部
21  固定ねじ
22  導入口
23  取付部
Ａ  ケーシング
Ｂ  取付部
【図１】
2007127344.tif 000003
【図２】
2007127344.tif 000004
【図３】
2007127344.tif 000005
【図４】
2007127344.tif 000006
【図５】
2007127344.tif 000007
【図６】
2007127344.tif 000008
【図７】
2007127344.tif 000009
【図８】
2007127344.tif 000010